(57)【要約】    【課題】  ダイレクトメールの受取人の注意を喚起することのできる封入構造体を提供する。    【解決手段】  四角形状の表裏のシート部(11,12) の四つの端縁を相互に一体化して構成され、内部には被封入体が封入され、左端縁の部分にはマチ部(14)が形成されるとともにレールホルダー(15)が外嵌され、レールホルダーは抜止め部(16,20,21,22)によって左端縁の部分から抜止めされている一方、四角形状の上端縁、下端縁及び右端縁の各部分には切取り開封部(17)が設けられ、切取り開封部から開封することによって被封入体が取り出し可能であるとともに、レールホルダー型ファイルが得られるように構成する。【選択図】  図１
2009034841.tif 000002
【特許請求の範囲】
【請求項１】
四角形状の表裏のシート部の四つの端縁を相互に一体化して構成され、内部には被封入体が封入され、左端縁の部分にはマチ部が形成されるとともにレールホルダーが外嵌され、レールホルダーは抜止め部によって左端縁の部分から抜止めされている一方、
四角形状の上端縁、下端縁及び右端縁の各部分には切取り開封部が設けられ、切取り開封部から開封することによって被封入体が取り出し可能であるとともに、レールホルダー型ファイルが得られるようにしたことを特徴とする封入構造体。
【請求項２】
四角形状の表裏のシート部の左端縁、右端縁及び下端縁を相互に一端化して構成され、内部には封止可能な上端縁の投入口から被封入体が封入可能であり、左端縁の部分にはマチ部が形成されるとともにレールホルダーが外嵌され、レールホルダーは抜止め部によって左端縁の部分から抜止めされている一方、四角形状の上端縁、下端縁及び右端縁の各部分には切取り開封部が設けられ、切取り開封部から開封することによって被封入体が取り出し可能であるとともに、レールホルダー型ファイルが得られるようにしたことを特徴とする封入構造体。
【請求項３】
上記抜止め部が、シート部に形成されレールホルダーの端部コーナー部分が差し込まれて係止されるスリット又は穴、レールホルダーをシート部に着脱可能に貼着するシール、又はシート部に形成されレールホルダーの端部と当接する突起である請求項１又は２記載の封入構造体。
【請求項４】
１枚のシートが相互に平行な中央の２本の折り線で二つに折り重ねられるとともにマチ部が形成され、上記折り線の部分を左端縁とし、上端縁、下端縁及び右端縁の各部分が接着又は固着されて内部に被封入体が封入されている請求項１又は２記載の封入構造体。
【請求項５】
２枚のシートが重ねられ、上端縁、下端縁、左端縁及び右端縁の各部分が接着又は固着されて被封入体が封入されるとともに、左端縁の部分にマチ部が形成されている請求項１又は２記載の封入構造体。
【請求項６】
上記切取り開封部がマイクロミシン目、ミシン目あるいはハーフカットで構成されている請求項１又は２記載の封入構造体。
【発明の詳細な説明】
【技術分野】
【０００１】
この発明は例えばダイレクトメール等に適した封入構造体に関し、特に開封後にいわゆるレールホルダー型ファイルとして利用できるようにした構造体に関する。
【背景技術】
【０００２】
従来より、書類を整理し保管するのに便利なファイルが種々提案されている。例えば、１枚の合成樹脂製シートを半折するとともに、その半折の部分を左端縁として下端縁をシールし、右端縁及び上端縁を開放させるようにした、いわゆるクリアファイルが提案されている（特許文献１、特許文献２）。
【０００３】
また、１枚の合成樹脂製シートを半折するとともに、半折部分にマチ部を形成し、その半折の部分を左端縁とし、左端縁をレールホルダーに差し込むようにした、いわゆるレールホルダー型ファイルも知られている（特許文献３、特許文献４、特許文献５）。
【０００４】
ところで、各種のダイレクトメールには封書や葉書がよく利用されている。例えば、少なくとも２枚の紙片を二つ又はＺ状に相互に折り重ね、あるいは巻き紙状に折り重ね、少なくとも重ねられた２枚の紙片の周縁又は全面を擬似接着し、受取人が貼り合わせた紙片を剥離して内部の印刷や印字の内容を見れるようにした構造が知られている。
【０００５】
しかし、従来のダイレクトメールではその宣伝広告機能が注目され、一人の受取人に多数のダイレクトメールが届くことが多くなったことから、受け取ったダイレクトメールをそのまま廃棄し、あるいは貼り合わせた紙片を剥離しても内部の印刷や印字の内容をよく読まずに廃棄してしまうことが多かった。
【０００６】
これに対し、上端縁及び右端縁に開封部を設け、開封部から開封することによって被封入体を取り出し可能とするとともに、いわゆるクリアファイルが得られるようにした封入構造体が提案されている（特許文献６、特許文献７）。
【０００７】
【特許文献１】特開平２００３−２５７７９号公報
【特許文献２】特開平２００３−１７０６８７号公報
【特許文献３】特許第３７７９４３号公報
【特許文献４】特開２００１−８８４８７号公報
【特許文献５】実開平０４−７６４８６号公報
【特許文献６】特開２００６−２７６５２号公報
【特許文献７】特開２００５−３０６４３１号公報
【発明の開示】
【発明が解決しようとする課題】
【０００８】
本発明はかかる状況において、ダイレクトメールの受取人の注意を喚起することができるようにした封入構造体を提供することを課題とする。
【課題を解決するための手段】
【０００９】
そこで、本発明に係る封入構造体は、四角形状の表裏のシート部の四つの端縁を相互に一体化して構成され、内部には被封入体が封入され、左端縁の部分にはマチ部が形成されるとともにレールホルダーが外嵌され、レールホルダーは抜止め部によって左端縁の部分から抜止めされている一方、四角形状の上端縁、下端縁及び右端縁の各部分には切取り開封部が設けられ、切取り開封部から開封することによって被封入体が取り出し可能であるとともに、レールホルダー型ファイルが得られるようにしたことを特徴とする。
【００１０】
本発明の特徴の１つは四角形状の左端縁のマチ部にレールホルダーを取付け、四角形状の上端縁、右端縁及び下端縁の切取り開封部から切り取って開封できるようにした点にある。
【００１１】
これにより、例えばダイレクトメールを受け取った受取人は開封部の形状からレールホルダー型ファイルの存在に気がつき、ダイレクトメールをそのまま廃棄してしまうことは少なくなり、開封して被封入体の印刷や印字などの内容をよく読むことが期待できる。また、廃棄する部分が少ないので、省資源上も有利である。
【００１２】
ユーザが封入構造体を利用する場合、上端縁を開放した封入構造体の素形体をユーザに提供し、ユーザが上端縁の投入口から被封入体を入れて投入口を両面粘着テープや封止片の貼り付け等によって密封できるようにしてもよい。
【００１３】
即ち、本発明に係る封入構造体は、四角形状の表裏のシート部の左端縁、右端縁及び下端縁を相互に一端化して構成され、内部には封止可能な上端縁の投入口から被封入体が封入可能であり、左端縁の部分にはマチ部が形成されるとともにレールホルダーが外嵌され、レールホルダーは抜止め部によって左端縁の部分から抜止めされている一方、四角形状の上端縁、下端縁及び右端縁の各部分には切取り開封部が設けられ、切取り開封部から開封することによって被封入体が取り出し可能であるとともに、レールホルダー型ファイルが得られるようにしたことを特徴とする。
【００１４】
抜止め部はレールホルダーをシート部から抜止めできればよく、例えばシート部に形成されレールホルダーの端部コーナー部分が差し込まれて係止するスリット又は穴、レールホルダーをシート部に着脱可能に貼着するシール、又はシート部に形成されレールホルダーの端部と当接する突起などを採用することができる。
【００１５】
封入構造体は四角形状の表裏のシート部から構成されていればよい。例えば、１枚のシートを相互に平行な中央の２本の折り線で二つに折り重ねるとともにマチ部を形成し、折り線の部分を左端縁とし、上端縁、下端縁及び右端縁の各部分を接着又は固着されて内部に被封入体を封入するようにすることもできる。
【００１６】
また、２枚のシートを重ね、上端縁、下端縁、左端縁及び右端縁の各部分を接着又は固着されて被封入体を封入するとともに、左端縁の部分にマチ部を形成するようにすることもできる。
【００１７】
表裏のシート部の材質は特に限定されず、合成樹脂材料、合成紙、紙、合成樹脂フィルムをラミネートした合成紙や紙等を用いることができる。また、表裏のシート部は不透明としてもよいが、封入構造体が開封後にホルダー類として利用されることを考慮すると、表裏のシート部のうちの少なくとも一方の全部又は一部が透明又は半透明であるのが望ましい。
【００１８】
切取り開封部はマイクロミシン目、ミシン目あるいはハーフカットで構成し、切り取るようにしてもよく、又表側シート及び／又は裏シートの開封箇所に糸を埋設しておき、糸を引っ張って切り取るようにしてもよい。
【発明を実施するための最良の形態】
【００１９】
以下、本発明を図面に示す具体例に基づいて詳細に説明する。図１ないし図３は本発明に係る封入構造体の好ましい実施形態を示す。図において、封入構造体１０は全部が透明又は半透明の表側シート部１１と裏側シート部１２とから構成され、表側シート部１１及び裏側シート部１２は相互に平行な２本の折り線１３で二つに折り重ねられるとともにマチ部１４が形成され、上下の端縁及び右端縁の各部分が例えば超音波圧着や熱圧着によって帯状に固着され、あるいは接着剤によって帯状に接着され、又内部には図示しないが被封入体、例えば広告案内を印刷した用紙が封入されている。
【００２０】
また、左端縁の部分にはレールホルダー１５が外嵌され、又表裏のシート部１１、１２の上下両端の左端縁近傍には穴（抜止め部）１６が形成され、レールホルダー１５の端部コーナー部分が差し込まれて係止されるようになっている。
【００２１】
また、表裏のシート部１１、１２の上下、右側の各端縁部分には固着部位の内側にマイクロミシン目（切取り開封部）１７が入れられており、マイクロミシン目１７から開封して内部の用紙を取り出せ、又マイクロミシン目１７から周縁部分を取り去ることにより、レールホルダー型ファイル１８が得られるようになっている。
【００２２】
本例の封入構造体を製造する場合、例えば方形の合成樹脂シートの中央の２本の折り罫を中心として左右に逆コ字状及びコ字状のマイクロミシン目１７を入れ、あるいはマイクロミシン目１７を入れた合成樹脂シートを用い、シート中央の２本の折り罫で２つに折り重ねて中央にマチ部１４を形成するとともに、折り罫を左端縁とし、下側及び右側の端縁部分を帯状に固着又は接着して封入構造素形体を製作する。次に、封入構造素形体内に用紙を入れ、上端縁を帯状に固着又は接着し、マチ部１４にレールホルダー１５を外嵌させると、本例の封入構造体が得られる。
【００２３】
封入した用紙を取り出す場合、マイクロミシン目１７から開封すればよく、周縁部分を取り除くと、図３に示されるレールホルダー型ファイル１８が得られる。このファイル１８にはシート１１、１２の間に書類１９などを適宜挟んで保管することができる。
【００２４】
例えば、本例の封入構造体をダイレクトメールに用いた場合、ダイレクトメールを受け取った受取人はマイクロミシン目１７の形状からレールホルダー型ファイル１８が内包されていることがすぐに分かる。
【００２５】
その結果、受取人は開封後にはファイル１８として利用できるので、ダイレクトメールをそのまま廃棄してしまうことは少なく、開封して用紙の印刷や印字の内容を読むことが期待される。
【００２６】
図４は第２の実施形態を示し、図において図１ないし図３と同一番号は同一又は相当部分を示す。本例では表裏のシート部１１、１２の上下両端の左端縁近傍にはスリット（抜止め部）２０を形成し、レールホルダー１５の端部コーナー部分を差し込んで係止するようになっている。
【００２７】
図５は第３の実施形態を示し、図において図１ないし図３と同一番号は同一又は相当部分を示す。本例では表側シート部１１とレールホルダー１５とにシール２１を脱着可能に貼り付け、レールホルダー１５を抜止めするようにしている。
【００２８】
図６は第４の実施形態を示し、図において図１ないし図３と同一番号は同一又は相当部分を示す。本例では表裏のシート部１１、１２の上下両端の左端縁近傍には突起（抜止め部）２２を形成し、レールホルダー１５が上下にスライドした時にレールホルダー１５の端部と当接して抜止めするようになっている。
【００２９】
図７は第５の実施形態を示し、図において図１ないし図３と同一番号は同一又は相当部分を示す。本例では表裏のシート部１１、１２の上下両端の左端部分に切欠き２３を形成し、マイクロミシン目１７から切り取りやすいようにしている。
【００３０】
図８は第６の実施形態を示し、図において図１ないし図３と同一番号は同一又は相当部分を示す。本例では２本の短いレールホルダー１５を用い、両レールホルダー１５をシール２１によって表側シート部１１に貼り付け、レールホルダー１５を抜止めするようにしている。
【００３１】
図９は第７の実施形態を示し、図において図１ないし図３と同一番号は同一又は相当部分を示す。本例では上端縁を開放して投入口２４を形成しておき、ユーザが必要な書類を投入した後、両面粘着テープ２５で密封できるようにしている。なお、表側のシート部１１の上端縁に封止片２６を一体に形成しておき、書類を入れた後、封止片２６で投入口２４を密封するように構成することもできる。
【図面の簡単な説明】
【００３２】
【図１】本発明に係る封入構造体の好ましい実施形態を示す図である。
【図２】上記実施形態における要部を示す図である。
【図３】開封後における上記実施形態をファイルとして使用している状態を示す図である。
【図４】第２の実施形態を示す図である。
【図５】第３の実施形態を示す図である。
【図６】第４の実施形態を示す図である。
【図７】第５の実施形態を示す図である。
【図８】第６の実施形態を示す図である。
【図９】第７の実施形態を示す図である。
【符号の説明】
【００３３】
１０      封入構造体
１１      表側シート部
１２      裏側シート部
１３      折り罫
１４      マチ部
１５      レールホルダー
１６      穴（抜止め部）
１７      マイクロミシン目（切取り開封部）
２０      スリット（抜止め部）
２１      シール（抜止め部）
２２      突起（抜止め部）
２５      両面粘着テープ
２６      封止片
【図１】
2009034841.tif 000003
【図２】
2009034841.tif 000004
【図３】
2009034841.tif 000005
【図４】
2009034841.tif 000006
【図５】
2009034841.tif 000007
【図６】
2009034841.tif 000008
【図７】
2009034841.tif 000009
【図８】
2009034841.tif 000010
【図９】
2009034841.tif 000011